(57)【要約】  【課題】  収納具に収納されている物品を確認することのできる新たな物品確認システムを提供する。  【解決手段】  物品確認システム１では、収納具２に物品を収納するときに、収納される物品６を撮影することによって生成された画像データを、端末装置３からサーバ装置５へ送信するとともに、収納具２に設けられたコード７を読み取ることによって生成された読取データを、端末装置３からサーバ装置５へ送信する。サーバ装置５は、端末装置３から送信された画像データと読取データを互いに関連づけて記憶する。収納具２に収納されている物品６を確認するときには、収納具２に設けられたコード７を読み取ることによって生成された読取データを含む画像取得要求を、端末装置３からサーバ装置５へ送信し、その応答としてサーバから送信される物品６の画像データを受信し、端末装置３の表示部３３に表示する。【選択図】  図１
2019215692.tif 000002
【特許請求の範囲】
【請求項１】
収納具に収納される物品を撮影する機能と、前記収納具に設けられたコードを読み取る機能を、端末装置に実行させるプログラムと、
前記端末装置と通信する機能を有するサーバ装置と、
を備え、
前記プログラムは、前記端末装置に、
前記収納具に前記物品を収納するときに、前記物品を撮影することによって生成された画像データを、前記サーバ装置へ送信する機能と、
前記収納具に前記物品を収納するときに、前記コードを読み取ることによって生成された読取データを、前記サーバ装置へ送信する機能と、
を実行させ、
前記サーバ装置は、
前記端末装置から送信された前記画像データと前記読取データを互いに関連づけて記憶する機能を備え、
前記プログラムは、さらに、前記端末装置に、
前記収納具に収納されている前記物品を確認するときに、当該収納具に設けられた前記コードを読み取ることによって生成された読取データを含む画像取得要求を、前記サーバ装置へ送信する機能と、
前記画像取得要求に対する応答として前記サーバから送信される前記物品の画像データを受信する機能と、
前記サーバから受信した前記物品の画像データを表示部に表示する機能と、
を実行させる、物品確認システム。
【請求項２】
前記プログラムは、前記端末装置に、
前記収納具に収納されている前記物品の中から検索対象の物品を選択する機能と、
前記検索対象の物品が収納されている収納具を検索するときに、収納具に設けられたコードを読み取ることによって生成された読取データを含む検索要求を、前記サーバへ送信する機能と、
前記検索要求に対する応答として前記サーバから送信される検索結果データを受信する機能と、
を実行させる、請求項１に記載の物品確認システム。
【請求項３】
前記検索結果データは、
前記検索対象の物品が収納されている収納具を検索するときに読み取った前記コードが設けられている前記収納具が、前記検索対象の物品が収納されている収納具であるか否かを示すデータである、請求項２に記載の物品確認システム。
【請求項４】
前記プログラムは、前記端末装置に、
前記検索対象の物品が収納されている収納具を検索するときに読み取った前記コードが設けられている前記収納具が、前記検索対象の物品が収納されている収納具である場合に、当該収納具を前記表示部で強調表示する機能を実行させる、請求項３に記載の物品確認システム。
【請求項５】
前記コードは、前記収納具に印刷されている、請求項１〜請求項４のいずれかに記載の物品確認システム。
【請求項６】
前記コードは、前記収納具に貼り付けられるシールに付されている、請求項１〜請求項４のいずれかに記載の物品確認システム。
【請求項７】
収納具に収納される物品を撮影する機能と、前記収納具に設けられたコードを読み取る機能を、端末装置に実行させるプログラムであって、
前記プログラムは、前記端末装置に、
前記収納具に前記物品を収納するときに、前記物品を撮影することによって生成された画像データを、前記サーバ装置へ送信する機能と、
前記収納具に前記物品を収納するときに、前記コードを読み取ることによって生成された読取データを、前記サーバ装置へ送信する機能と、
を実現させ、
前記サーバ装置では、前記端末装置から送信された前記画像データと前記読取データが互いに関連づけて記憶されており、
前記プログラムは、さらに、前記端末装置に、
前記収納具に収納されている前記物品を確認するときに、当該収納具に設けられた前記コードを読み取ることによって生成された読取データを含む画像取得要求を、前記サーバ装置へ送信する機能と、
前記画像取得要求に対する応答として前記サーバから送信される前記物品の画像データを受信する機能と、
前記サーバから受信した前記物品の画像データを表示部に表示する機能と、
を実現させる、プログラム。
【請求項８】
物品確認システムで用いられるサーバ装置であって、
前記物品確認システムでは、
端末装置が、収納具に収納される物品を撮影する機能と、前記収納具に設けられたコードを読み取る機能を有し、
前記サーバ装置は、
前記収納具に前記物品を収納するときに、前記端末装置で前記物品を撮影することによって生成された画像データを、前記端末装置から受信する機能と、
前記収納具に前記物品を収納するときに、前記端末装置で前記コードを読み取ることによって生成された読取データを、前記端末装置から受信する機能と、
前記端末装置から送信された前記画像データと前記読取データを互いに関連づけて記憶する機能と、
前記収納具に収納されている前記物品を確認するときに、当該収納具に設けられた前記コードを読み取ることによって生成された読取データを含む画像取得要求を、前記端末装置から受信する機能と、
前記画像取得要求に対する応答として前記物品の画像データを前記端末装置に送信する機能と、
を備え、
前記端末装置では、前記サーバから受信した前記物品の画像データが表示部に表示される、サーバ装置。
【請求項９】
収納具に収納される物品を撮影する機能と、前記収納具に設けられたコードを読み取る機能を有する端末装置と、
前記端末装置と通信する機能を有するサーバ装置と、
を備え、
前記端末装置は、
前記収納具に前記物品を収納するときに、前記物品を撮影することによって生成された画像データを、前記サーバ装置へ送信する機能と、
前記収納具に前記物品を収納するときに、前記コードを読み取ることによって生成された読取データを、前記サーバ装置へ送信する機能と、
を備え、
前記サーバ装置は、
前記端末装置から送信された前記画像データと前記読取データを互いに関連づけて記憶する機能を備え、
前記端末装置は、さらに、
前記収納具に収納されている前記物品を確認するときに、当該収納具に設けられた前記コードを読み取ることによって生成された読取データを含む画像取得要求を、前記サーバ装置へ送信する機能と、
前記画像取得要求に対する応答として前記サーバから送信された前記物品の画像データを受信する機能と、
前記サーバから受信した前記物品の画像データを表示部に表示する機能と、
を備える、物品確認システム。
【発明の詳細な説明】
【技術分野】
【０００１】
本発明は、収納具に収納されている物品を確認する物品確認システムに関する。
【背景技術】
【０００２】
従来から、引越しや通信販売やインターネット上での個人取引などにおいて、段ボール箱などの収納具が用いられている。例えば、引越しをするときには、段ボール箱などの収納具にさまざまな物品を収納して搬送する。引越しの作業は、例えば引越し業者（あるいは本人）によって行われるが、引越し元の住居で荷詰め作業（段ボール箱に物品を収納する作業）が行われ、荷詰めされた段ボール箱がトラックなどで搬送され、引越し先の住居に運び込まれる。そして、引越し先の住居で荷解き作業（物品を段ボール箱から取り出す作業）が行われる。
【０００３】
一般に、引越しで用いられる収納具（段ボール箱）の数は、一般家庭の場合であっても相当数になり、多数の段ボール箱を開いてその中に収納されている物品をそれぞれの収納場所に納めることは大変な作業となる。どの段ボール箱にどの物品が収納されているかが分からないと、この作業の労力はさらに大きくなる。また、引越し後の暫くの間、一部の段ボール箱が荷解きされずに放置されることも少なくない。その場合にも、どの段ボール箱にどの物品が収納されているかが分からないと、不便を感じることになる。
【０００４】
そこで従来、外部から中身が分かるように荷物を梱包する梱包方法や梱包箱が提案されている（例えば特許文献１参照）。従来の方法では、梱包箱（段ボール箱）に荷物を収納し、梱包箱に収納した荷物をインスタントカメラで写真撮影し、撮影により得られた写真を梱包箱の外側に取り付ける。
【先行技術文献】
【特許文献】
【０００５】
【特許文献１】特開２００２−３６２６３３号公報
【発明の概要】
【発明が解決しようとする課題】
【０００６】
しかしながら、従来の方法では、インスタントカメラで撮影した写真を段ボール箱の外側に取り付ける作業が必要であり、その作業に手間がかかるという問題があった。また、写真を段ボール箱の外側に取り付けるために、段ボール箱の側壁面に写真を入れるためのホルダを設ける必要があり、その作業に手間や費用がかかるという問題があった。
【０００７】
本発明は、上記の課題に鑑みてなされたもので、収納具に収納されている物品を確認することのできる新たなシステムを提供することを目的とする。
【課題を解決するための手段】
【０００８】
本発明の物品確認システムは、収納具に収納される物品を撮影する機能と、前記収納具に設けられたコードを読み取る機能を、端末装置に実行させるプログラムと、前記端末装置と通信する機能を有するサーバ装置と、を備え、前記プログラムは、前記端末装置に、前記収納具に前記物品を収納するときに、前記物品を撮影することによって生成された画像データを、前記サーバ装置へ送信する機能と、前記収納具に前記物品を収納するときに、前記コードを読み取ることによって生成された読取データを、前記サーバ装置へ送信する機能と、を実行させ、前記サーバ装置は、前記端末装置から送信された前記画像データと前記読取データを互いに関連づけて記憶する機能を備え、前記プログラムは、さらに、前記端末装置に、前記収納具に収納されている前記物品を確認するときに、当該収納具に設けられた前記コードを読み取ることによって生成された読取データを含む画像取得要求を、前記サーバ装置へ送信する機能と、前記画像取得要求に対する応答として前記サーバから送信される前記物品の画像データを受信する機能と、前記サーバから受信した前記物品の画像データを表示部に表示する機能と、を実行させる。
【０００９】
この構成によれば、収納具に物品を収納するときに、端末装置で物品を撮影するとともに収納具のコードを読み取ると、サーバ装置に物品の画像データとコードの読取データが互いに関連づけて記憶される。収納具に収納された物品を確認するときには、収納具のコードを読み取ると、その収納具に収納されている物品の画像データが、サーバ装置から送信されて端末装置の表示部に表示される。したがって、ユーザは、収納具をあけることなく、その収納具に収納されている物品を確認することができる。
【００１０】
この場合、従来の方法のように、写真を段ボール箱の外側に取り付ける作業が必要ないので、その作業にかかる手間が不要になる。また、段ボール箱の側壁面に写真を入れるためのホルダを設ける必要もないので、その作業にかかる手間や費用が不要になる。
【００１１】
また、本発明の物品確認システムでは、前記プログラムは、前記端末装置に、前記収納具に収納されている前記物品の中から検索対象の物品を選択する機能と、前記検索対象の物品が収納されている収納具を検索するときに、収納具に設けられたコードを読み取ることによって生成された読取データを含む検索要求を、前記サーバへ送信する機能と、前記検索要求に対する応答として前記サーバから送信される検索結果データを受信する機能と、を実行させてもよい。
【００１２】
この構成によれば、収納具に収納されている物品の中から検索態様の物品を検索するときに、端末装置で検索対象の物品を選択するとともに、収納具のコードを読み取ると、サーバ装置から端末装置に検索結果データが送信される。例えば、検索結果データは、コードを読み取った収納具に、検索対象の物品が収納されているか否かを示すデータである。その場合、ユーザは、収納具をあけることなく、どの収納具に検索対象の物品が収納されているかを知ることができる。
【００１３】
また、本発明の物品確認システムでは、前記検索結果データは、前記検索対象の物品が収納されている収納具を検索するときに読み取った前記コードが設けられている前記収納具が、前記検索対象の物品が収納されている収納具であるか否かを示すデータであってもよい。
【００１４】
この構成によれば、ユーザは、収納具をあけることなく、コードを読み取った収納具に検索対象の物品が収納されているか否かを知ることができる。
【００１５】
また、本発明の物品確認システムでは、前記プログラムは、前記端末装置に、前記検索対象の物品が収納されている収納具を検索するときに読み取った前記コードが設けられている前記収納具が、前記検索対象の物品が収納されている収納具である場合に、当該収納具を前記表示部で強調表示する機能を実行させてもよい。
【００１６】
この構成によれば、ユーザは、収納具のコードを読み取ったときに、端末装置の表示部で強調表示が行われる否かによって、収納具をあけることなく、その収納具に検索対象の物品が収納されているか否かを知ることができる。
【００１７】
また、本発明の物品確認システムでは、前記コードは、前記収納具に印刷されてもよい。
【００１８】
この構成によれば、コードが設けられた収納具を、事前に大量生産することが容易である。
【００１９】
また、本発明の物品確認システムでは、前記コードは、前記収納具に貼り付けられるシールに付されてもよい。
【００２０】
この構成によれば、コードが設けられた収納具を、収納作業の現場で容易に生産することができる。
【００２１】
本発明のプログラムは、収納具に収納される物品を撮影する機能と、前記収納具に設けられたコードを読み取る機能を、端末装置に実行させるプログラムであって、前記プログラムは、前記端末装置に、前記収納具に前記物品を収納するときに、前記物品を撮影することによって生成された画像データを、前記サーバ装置へ送信する機能と、前記収納具に前記物品を収納するときに、前記コードを読み取ることによって生成された読取データを、前記サーバ装置へ送信する機能と、を実現させ、前記サーバ装置では、前記端末装置から送信された前記画像データと前記読取データが互いに関連づけて記憶されており、前記プログラムは、さらに、前記端末装置に、前記収納具に収納されている前記物品を確認するときに、当該収納具に設けられた前記コードを読み取ることによって生成された読取データを含む画像取得要求を、前記サーバ装置へ送信する機能と、前記画像取得要求に対する応答として前記サーバから送信される前記物品の画像データを受信する機能と、前記サーバから受信した前記物品の画像データを表示部に表示する機能と、を実現させる。
【００２２】
このプログラムによっても、上記のシステムと同様に、収納具に物品を収納するときに、端末装置で物品を撮影するとともに収納具のコードを読み取ると、サーバ装置に物品の画像データとコードの読取データが互いに関連づけて記憶される。収納具に収納された物品を確認するときには、収納具のコードを読み取ると、その収納具に収納されている物品の画像データが、サーバ装置から送信されて端末装置の表示部に表示される。したがって、ユーザは、収納具をあけることなく、その収納具に収納されている物品を確認することができる。
【００２３】
本発明のサーバ装置は、物品確認システムで用いられるサーバ装置であって、前記物品確認システムでは、端末装置が、収納具に収納される物品を撮影する機能と、前記収納具に設けられたコードを読み取る機能を有し、前記サーバ装置は、前記収納具に前記物品を収納するときに、前記端末装置で前記物品を撮影することによって生成された画像データを、前記端末装置から受信する機能と、前記収納具に前記物品を収納するときに、前記端末装置で前記コードを読み取ることによって生成された読取データを、前記端末装置から受信する機能と、前記端末装置から送信された前記画像データと前記読取データを互いに関連づけて記憶する機能と、前記収納具に収納されている前記物品を確認するときに、当該収納具に設けられた前記コードを読み取ることによって生成された読取データを含む画像取得要求を、前記端末装置から受信する機能と、前記画像取得要求に対する応答として前記物品の画像データを前記端末装置に送信する機能と、を備え、前記端末装置では、前記サーバから受信した前記物品の画像データが表示部に表示される。
【００２４】
このサーバ装置によっても、上記のシステムと同様に、収納具に物品を収納するときに、端末装置で物品を撮影するとともに収納具のコードを読み取ると、サーバ装置に物品の画像データとコードの読取データが互いに関連づけて記憶される。収納具に収納された物品を確認するときには、収納具のコードを読み取ると、その収納具に収納されている物品の画像データが、サーバ装置から送信されて端末装置の表示部に表示される。したがって、ユーザは、収納具をあけることなく、その収納具に収納されている物品を確認することができる。
【００２５】
本発明の物品確認システムは、収納具に収納される物品を撮影する機能と、前記収納具に設けられたコードを読み取る機能を有する端末装置と、前記端末装置と通信する機能を有するサーバ装置と、を備え、前記端末装置は、前記収納具に前記物品を収納するときに、前記物品を撮影することによって生成された画像データを、前記サーバ装置へ送信する機能と、前記収納具に前記物品を収納するときに、前記コードを読み取ることによって生成された読取データを、前記サーバ装置へ送信する機能と、を備え、前記サーバ装置は、前記端末装置から送信された前記画像データと前記読取データを互いに関連づけて記憶する機能を備え、前記端末装置は、さらに、前記収納具に収納されている前記物品を確認するときに、当該収納具に設けられた前記コードを読み取ることによって生成された読取データを含む画像取得要求を、前記サーバ装置へ送信する機能と、前記画像取得要求に対する応答として前記サーバから送信された前記物品の画像データを受信する機能と、前記サーバから受信した前記物品の画像データを表示部に表示する機能と、を備える。
【００２６】
この物品確認システムによっても、上記のシステムと同様に、収納具に物品を収納するときに、端末装置で物品を撮影するとともに収納具のコードを読み取ると、サーバ装置に物品の画像データとコードの読取データが互いに関連づけて記憶される。収納具に収納された物品を確認するときには、収納具のコードを読み取ると、その収納具に収納されている物品の画像データが、サーバ装置から送信されて端末装置の表示部に表示される。したがって、ユーザは、収納具をあけることなく、その収納具に収納されている物品を確認することができる。
【発明の効果】
【００２７】
本発明によれば、収納具に収納されている物品を確認することのできる新たなシステムを提供することができる。
【図面の簡単な説明】
【００２８】
【図１】本発明の実施の形態における物品確認システムの説明図である。
【図２】本発明の実施の形態における端末装置のブロック図である。
【図３】本発明の実施の形態におけるサーバ装置のブロック図である。
【図４】サーバ装置のデータベースに記憶されるデータの一例を示す図である。
【図５】本発明の実施の形態の物品確認システムにおいて、収納具に物品を収納するときの動作のシーケンス図である。
【図６】本発明の実施の形態の物品確認システムにおいて、収納具に収納されている物品を確認するときの動作のシーケンス図である。
【図７】本発明の実施の形態の物品確認システムにおいて、検索対象の物品が収納されている収納具を検索するときの動作のシーケンス図である。
【発明を実施するための形態】
【００２９】
以下、本発明の実施の形態の物品確認システムについて、図面を用いて説明する。本実施の形態では、引越し用の段ボール箱などに用いられる物品確認システムの場合を例示する。
【００３０】
本発明の実施の形態の物品確認システムの構成を、図面を参照して説明する。図１は、本実施の形態の物品確認システムを示す説明図である。図１に示すように、物品確認システム１は、収納具である段ボール箱２と、スマートフォンなどの端末装置３と、端末装置３とネットワーク４を介して通信するサーバ装置５を備えている。段ボール箱２には、帽子や衣服や文房具などの様々な物品６が収納される。
【００３１】
図２は、端末装置３の機能を説明するためのブロック図である。なお、端末装置３の各機能は、端末装置３に実装されたプログラムによって実現される。図２に示すように、端末装置３は、段ボール箱２に収納される物品６を撮影する機能を有する撮影部３０と、段ボール箱２に設けられたコード７を読み取る機能を有するコード読取部３１と、サーバ装置５と通信する機能を有する通信部３２と、各種の情報を表示する機能を有する表示部３３を備えている。例えば、撮影部３０は、内蔵のカメラであり、表示部３３は、タッチパネル式の画面である。また、コード７は、ＱＲコードなどの二次元コードであり、例えば、段ボール箱２に印刷されている。コード７は、段ボール箱２に貼り付けられるシールに付されていてもよく、コード７が付されたシールを段ボール箱２に貼り付けてもよい。
【００３２】
また、端末装置３は、物品確認システム１の端末装置３側での各種制御を行う端末制御部３４を備えている。端末制御部３４は、段ボール箱２に物品６を収納するときの処理を行う端末収納処理部３５と、段ボール箱２に収納されている物品６を確認するときの処理を行う端末確認処理部３６と、検索対象の物品６が収納されている段ボール箱２を検索するときの処理を行う端末検索処理部３７を備えている。
【００３３】
端末収納処理部３５は、段ボール箱２に物品６を収納するときに、物品６を撮影することによって生成された画像データを、サーバ装置５へ送信する機能を備えている。また、端末収納処理部３５は、段ボール箱２に物品６を収納するときに、段ボール箱２のコード７を読み取ることによって生成された読取データをサーバ装置５へ送信する機能を備えている。
【００３４】
端末確認処理部３６は、段ボール箱２に収納されている物品６を確認するときに、当該段ボール箱２に設けられたコード７を読み取ることによって生成された読取データを含む画像取得要求を、サーバ装置５へ送信する機能を備えている。また、端末確認処理部３６は、画像取得要求に対する応答としてサーバから送信される物品６の画像データを受信する機能と、サーバから受信した物品６の画像データを表示部３３に表示する機能を備えている。
【００３５】
端末検索処理部３７は、段ボール箱２に収納されている物品６の中から検索対象の物品６を選択する機能を備えている。また、端末検索処理部３７は、検索対象の物品６が収納されている段ボール箱２を検索するときに、段ボール箱２に設けられたコード７を読み取ることによって生成された読取データを含む検索要求を、サーバへ送信する機能を備えている。
【００３６】
また、端末検索処理部３７は、検索要求に対する応答としてサーバから送信される検索結果データを受信する機能を備えている。検索結果データは、例えば、検索対象の物品６が収納されている段ボール箱２を検索するときに読み取ったコード７が設けられている段ボール箱２が、検索対象の物品６が収納されている段ボール箱２であるか否かを示すデータである。
【００３７】
さらに、端末検索処理部３７は、検索対象の物品６が収納されている段ボール箱２を検索するときに読み取ったコード７が設けられている段ボール箱２が、検索対象の物品６が収納されている段ボール箱２である場合に、その段ボール箱２を表示部３３で強調表示する機能を備えている。例えば、多数の段ボール箱２のなかに、検索対象の物品６が収納されている段ボール箱２が紛れ込んでいる場合に、端末装置３でそれらの段ボール箱２を撮影すると、端末装置３の表示部３３で、検索対象の物品６が収納されている段ボール箱２が強調表示される。これにより、多数の段ボール箱２の中から、検索対象の物品６が収納されている段ボール箱２を容易に見つけることができる。
【００３８】
図３は、サーバ装置５の機能を説明するためのブロック図である。図３に示すように、サーバ装置５は、端末装置３と通信する機能を有する通信部５０と、端末装置３から送信された画像データと読取データを互いに関連づけて記憶する機能を有するデータベース５１を備えている。
【００３９】
また、サーバ装置５は、物品確認システム１のサーバ装置５側での各種制御を行うサーバ制御部５２を備えている。サーバ制御部５２は、段ボール箱２に物品６を収納するときの処理を行うサーバ収納処理部５３と、段ボール箱２に収納されている物品６を確認するときの処理を行うサーバ確認処理部５４と、検索対象の物品６が収納されている段ボール箱２を検索するときの処理を行うサーバ検索処理部５５を備えている。
【００４０】
サーバ収納処理部５３は、段ボール箱２に物品６を収納するときに、端末装置３から送信された画像データと読取データを互いに関連づけてデータベース５１に登録する機能を備えている。サーバ確認処理部５４は、段ボール箱２に収納されている物品６を確認するときに、端末装置３から送信された画像取得要求に含まれる読取データに関連づけられている画像データをデータベース５１から抽出し、端末装置３に送信する機能を備えている。
【００４１】
サーバ検索処理部５５は、端末装置３で検索対象の物品６が選択されたときに、その物品６が収納されている段ボール箱２を特定する機能と、検索対象の物品６が収納されている段ボール箱２を検索するときに、端末装置３から送信された検索要求に含まれる読取データが示す段ボール箱２が、特定した段ボール箱２（検索対象の物品６が収納されている段ボール箱２）であるか否かを判定する機能と、判定の結果を検索結果データとして端末装置３に送信する機能を備えている。
【００４２】
図４は、サーバ装置５のデータベース５１に記憶されるデータの一例を示す図である。図４に示すように、データベース５１には、端末装置３から送信された画像データと読取データが互いに関連づけて記憶されている。例えば、読取データは、段ボール箱２を識別するための識別番号（０００１、０００２、・・・）などである。また、画像データは、端末装置３で撮影された物品６の写真のデータ（画像Ａ、画像Ｂ、画像Ｃ、画像Ｄ、・・・）などである。なお、各画像データには、その写真が撮影された日時（日時Ａ、日時Ｂ、日時Ｃ、日時Ｄ、・・・）や位置（位置Ａ、・・・）のデータが紐付けられていてもよい。位置のデータは、例えば写真を撮影した場所の緯度経度のデータである。また、各画像データには、その物品６のカテゴリー（例えば、その物品６の収納場所。クローゼット、書斎、キッチン、・・・）や物品名（帽子、衣服、文房具、鍋、・・・）などのデータが紐付けられてもよい。カテゴリーや物品名のデータは、ユーザ入力によって設定することができる。
【００４３】
以上のように構成された物品確認システム１について、図面を参照してその動作を説明する。
【００４４】
図５は、段ボール箱２に物品６を収納するときの動作のシーケンス図である。段ボール箱２に物品６を収納するときには、端末装置３で段ボール箱２のコード７を読み取るとともに、その段ボール箱２に収納される物品６の写真を撮影する。図５に示すように、端末装置３で段ボール箱２のコード７を読み取ると（Ｓ１０）、そのコード７を読み取ることによって生成された読取データ（例えば、０００１）がサーバ装置５へ送信される（Ｓ１１）。また、端末装置３で段ボール箱２に収納される物品６（例えば、帽子）の写真を撮影すると（Ｓ１２）、その撮影によって生成された画像データ（例えば、画像Ａ）がサーバ装置５へ送信される（Ｓ１３）。
【００４５】
サーバ装置５では、端末装置３から送信された画像データと読取データが互いに関連づけてデータベース５１に登録される（Ｓ１４）。このとき、画像データとともに、その写真が撮影された日時（例えば、日時Ａ）や位置（例えば、位置Ａ）のデータが、端末装置３からサーバ装置５に送信されてもよく、それらの日時や位置のデータが、画像データに紐付けられてもよい。また、物品６のカテゴリー（例えば、クローゼット）や物品名（例えば、帽子）などのデータがユーザ入力され、画像データに紐付けられてもよい。
【００４６】
図６は、段ボール箱２に収納されている物品６を確認するときの動作のシーケンス図である。段ボール箱２に収納されている物品６を確認するときには、端末装置３でその段ボール箱２のコード７を読み取る。図６に示すように、端末装置３で段ボール箱２のコード７を読み取ると（Ｓ２０）、その読取データ（例えば、０００１）を含んだ画像取得要求がサーバ装置５へ送信される（Ｓ２１）。
【００４７】
サーバ装置５では、端末装置３から送信された画像取得要求に含まれる読取データ（例えば、０００１）に関連づけられている画像データ（例えば、画像Ａ、画像Ｂ、画像Ｃ）をデータベース５１から抽出し（Ｓ２２）、抽出した画像データ（例えば、画像Ａ、画像Ｂ、画像Ｃ）を端末装置３に送信する（Ｓ２３）。端末装置３では、サーバ装置５から受信した画像データ（例えば、画像Ａ、画像Ｂ、画像Ｃ）が表示部３３に表示される（Ｓ２４）。
【００４８】
図７は、検索対象の物品６が収納されている段ボール箱２を検索するときの動作のシーケンス図である。検索対象の物品６が収納されている段ボール箱２を検索するときには、図７に示すように、まず、端末装置３で、段ボール箱２に収納されている物品６（例えば、帽子、衣服、文房具、鍋）の中から検索対象の物品６（例えば、鍋）を選択する（Ｓ３０）。そして、端末装置３で、段ボール箱２に設けられたコード７を読み取ると（Ｓ３１）、その読取データ（例えば、０００１）を含んだ検索要求がサーバ装置５へ送信される（Ｓ３２）。
【００４９】
サーバ装置５では、端末装置３で選択された検索対象の物品６（例えば、鍋）が収納されている段ボール箱２の読取データ（例えば、０００２）を特定し、端末装置３から送信された検索要求に含まれる読取データ（例えば、０００１）と一致するか否かを判定する（Ｓ３３）。そして、その結果（例えば、一致しない）を検索結果データとして端末装置３に送信する（Ｓ３４）。
【００５０】
検索結果データが「一致しない」である場合、すなわち、読み取ったコード７が設けられている段ボール箱２が、検索対象の物品６が収納されている段ボール箱２でない場合に、別の段ボール箱２に設けられたコード７を読み取ると（Ｓ３１）。その読取データ（例えば、０００２）を含んだ検索要求がサーバ装置５へ送信される（Ｓ３２）。
【００５１】
そして、サーバ装置５では、端末装置３で選択された検索対象の物品６（例えば、鍋）が収納されている段ボール箱２の読取データ（例えば、０００２）と、端末装置３から送信された検索要求に含まれる読取データ（例えば、０００２）とが一致するか否かを判定し（Ｓ３３）、その結果（例えば、一致する）を検索結果データとして端末装置３に送信する（Ｓ３４）。
【００５２】
検索結果データが「一致する」である場合、すなわち、読み取ったコード７が設けられている段ボール箱２が、検索対象の物品６が収納されている段ボール箱２である場合には、その段ボール箱２が端末装置３の表示部３３で強調表示される（Ｓ３６）。
【００５３】
このような本実施の形態の物品確認システム１によれば、段ボール箱２に物品６を収納するときに、端末装置３で物品６を撮影するとともに段ボール箱２のコード７を読み取ると、サーバ装置５に物品６の画像データとコード７の読取データが互いに関連づけて記憶される。段ボール箱２に収納された物品６を確認するときには、段ボール箱２のコード７を読み取ると、その段ボール箱２に収納されている物品６の画像データが、サーバ装置５から送信されて端末装置３の表示部３３に表示される。したがって、ユーザは、段ボール箱２をあけることなく、その段ボール箱２に収納されている物品６を確認することができる。
【００５４】
この場合、従来の方法のように、写真を段ボール箱２の外側に取り付ける作業が必要ないので、その作業にかかる手間が不要になる。また、段ボール箱２の側壁面に写真を入れるためのホルダを設ける必要もないので、その作業にかかる手間や費用が不要になる。
【００５５】
また、本実施の形態では、段ボール箱２に収納されている物品６の中から検索態様の物品６を検索するときに、端末装置３で検索対象の物品６を選択するとともに、段ボール箱２のコード７を読み取ると、サーバ装置５から端末装置３に検索結果データが送信される。例えば、検索結果データは、コード７を読み取った段ボール箱２に、検索対象の物品６が収納されているか否かを示すデータである。その場合、ユーザは、段ボール箱２をあけることなく、どの段ボール箱２に検索対象の物品６が収納されているかを知ることができる。
【００５６】
また、本実施の形態では、検索結果データが、検索対象の物品６が収納されている段ボール箱２を検索するときに読み取ったコード７が設けられている段ボール箱２が、検索対象の物品６が収納されている段ボール箱２であるか否かを示すデータであるので、ユーザは、段ボール箱２をあけることなく、コード７を読み取った段ボール箱２に検索対象の物品６が収納されているか否かを知ることができる。
【００５７】
また、本実施の形態では、検索対象の物品６が収納されている段ボール箱２を検索するときに読み取ったコード７が設けられている段ボール箱２が、検索対象の物品６が収納されている段ボール箱２である場合には、その段ボール箱２が表示部３３で強調表示されるので、ユーザは、段ボール箱２のコード７を読み取ったときに、端末装置３の表示部３３で強調表示が行われる否かを確認することによって、段ボール箱２をあけることなく、その段ボール箱２に検索対象の物品６が収納されているか否かを知ることができる。
【００５８】
例えば、コード７は、段ボール箱２に印刷されている。その場合、コード７が設けられた段ボール箱２を、事前に大量生産することが容易である。あるいは、コード７は、段ボール箱２に貼り付けられるシールに付されている。その場合、コード７が設けられた段ボール箱２を、収納作業の現場で容易に生産することができる。
【００５９】
以上、本発明の実施の形態を例示により説明したが、本発明の範囲はこれらに限定されるものではなく、請求項に記載された範囲内において目的に応じて変更・変形することが可能である。
【００６０】
例えば、以上の説明では、引越し用の段ボール箱２に用いられる物品確認システム１の場合について説明したが、本発明の範囲はこれに限定されない。例えば、収納具は、通信販売やインターネット上での個人取引などに用いられても良い。通信販売や個人取引に用いた場合には、発送者側が、梱包した物品を確認・管理することが容易になる。また、受取者側は、受け取った物品の発送時の状態を確認することが可能になる。
【００６１】
また、以上の説明では、端末装置が撮影機能を備え、物品を撮影することによって生成された画像データをサーバ装置へ送信する場合について説明したが、端末装置は必ずしも撮影機能を備えていなくてもよい。その場合、端末装置は、物品データ（物品を確認できるデータであれれば、如何なるデータであってもよい）をサーバ装置へ送信する。物品確認システムでは、画像データの代わりに、物品データ（例えば文書データなど）を用いることもできる。
【００６２】
また、収納具は、フォルダやファイル等であってもよく、収納具に収納される物品６は、文書や書類等であってもよい。なお、フォルダの中のファイルのように、データに親子関係を組み込んでもよい。また、フォルダの中にファイルを収納し、そのファイルの中に文書や書類を収納する場合には、データベース５１上で階層的にデータを管理してもよい。また、文書や書類のデータは、文書や書類をスキャンしたデータであってもよい。また、データベース５１上であるいはクラウド上でデータ（元からある画像データ、予め撮影した画像データ、すでに取り込んだ文書データなど）の紐付けができてもよい。
【産業上の利用可能性】
【００６３】
以上のように、本発明にかかる物品確認システムは、収納具に収納されている物品を確認することができるという効果を有し、引越し等に用いられる新たな物品確認システムシステムとして有用である。
【符号の説明】
【００６４】
１  物品確認システム
２  段ボール箱（収納具）
３  端末装置
４  ネットワーク
５  サーバ装置
６  物品
７  コード
３０  撮影部
３１  コード読取部
３２  通信部
３３  表示部
３４  端末制御部
３５  端末収納処理部
３６  端末確認処理部
３７  端末検索処理部
５０  通信部
５１  データベース
５２  サーバ制御部
５３  サーバ収納処理部
５４  サーバ確認処理部
５５  サーバ検索処理部
【図１】
2019215692.tif 000003
【図２】
2019215692.tif 000004
【図３】
2019215692.tif 000005
【図４】
2019215692.tif 000006
【図５】
2019215692.tif 000007
【図６】
2019215692.tif 000008
【図７】
2019215692.tif 000009